(57)【特許請求の範囲】
【請求項１】
建築物の床下空間における防蟻構造であって、
固形重量に対して０．０１〜１％の防蟻剤を含有する合成樹脂からなり、厚さ１００〜２００μｍであり、前記床下空間に設置される構造部材の立ち上がり面を垂直方向に１０cm以上の幅で覆う防蟻剤含有シートと、
接着剤固形重量に対して０．０１〜１％の防蟻剤を含有し、粘度４０００〜８０００ポイズ、揺変性４．０〜１０．０である防蟻接着剤を前記構造部材に塗工してなり、前記防蟻剤含有シートを前記構造部材に接合する防蟻接着剤層と
を備える床下防蟻構造。
【請求項２】
前記構造部材が布基礎を含み、
前記防蟻剤含有シートが、前記布基礎のうち、片側の立ち上がり面から布基礎の頂面を経て反対側の立ち上がり面までを覆う
請求項１に記載の床下防蟻構造。
【請求項３】
前記構造部材が束石を含み、
前記防蟻剤含有シートが、前記束石の少なくとも全周の立ち上がり面を覆う
請求項１または２に記載の床下防蟻構造。
【請求項４】
前記防蟻剤含有シートが、前記構造部材に接合されておらず揺動可能な下端縁を有する
請求項１〜３の何れかに記載の床下防蟻構造。
【発明の詳細な説明】
【０００１】
【発明の属する技術分野】
本発明は、床下防蟻構造に関し、詳しくは、建築物の布基礎や束、床下配管などを伝って白蟻が侵入してきて建築物に食害が及ぶのを防止する床下防蟻構造を対象にしている。
【０００２】
【従来の技術】
従来、建築物の防蟻構造としては、建築物の床下地面に、白蟻を殺したり白蟻が忌避する防蟻剤を散布しておいたり、防蟻剤が含浸または塗布された防蟻シートを敷設しておいたりすることが行われている。
【０００３】
防蟻剤としては、有機リン系やピレスロイド系などの有機化合物を含む薬剤が用いられる。
防蟻剤は、地盤への溶け出しなどで、経時的に効力を失うことがあるので、建築物の新築時に防蟻処理を行っていても、その後も定期的に防蟻剤の追加散布が行われることが多い。
【０００４】
【発明が解決しようとする課題】
従来の防蟻処理技術のうち、床下地面への防蟻剤の散布は、地盤に染み込んだ防蟻剤成分が土壌汚染を引き起こしたり、床下空間に飛散した防蟻剤成分が環境汚染を引き起こしたりする問題があった。
【０００５】
防蟻シートの場合も、防蟻剤をそのまま散布するのに比べれば環境の汚染は少なくなるが、広い面積で地盤と接触しているため、経時的には防蟻剤成分の地盤への染み込みや土壌汚染の問題が生じる。
【０００６】
また、床下地面の全体に防蟻シートを敷設していると、床下空間と地盤とが、防蟻シートで完全に遮断されてしまう。床下空間の湿気が地盤に吸収されないので、床下空間が高湿になり易く、柱材や床材などの腐食や錆の発生および進行を促進させてしまう。地盤の湿気や水分が防蟻シートの裏面に溜まって、防蟻シートの裏面に黴や雑菌を増殖させることもある。そのため、床下空間が黴臭くなったり悪臭が発生したりすることになる。
【０００７】
さらに、防蟻シートは床下地面に接合されているわけではないので、地盤と防蟻シートとの隙間を白蟻が移動し、防蟻シートの端部から床下空間側へと白蟻が侵入するという問題も起こる。
【０００８】
そこで、本発明の課題は、前記した従来の防蟻処理が有する問題点を解消し、安全性が高く、処理作業が容易で、長期的に優れた防蟻機能が発揮できるようにすることである。
【０００９】
【課題を解決するための手段】
本発明にかかる床下防蟻構造は、建築物の床下空間における防蟻構造であって、固形重量に対して０．０１〜１％の防蟻剤を含有する合成樹脂からなり、厚さ１００〜２００μｍであり、前記床下空間に設置される構造部材の立ち上がり面を垂直方向に１０cm以上の幅で覆う防蟻剤含有シートと、接着剤固形重量に対して０．０１〜１％の防蟻剤を含有し、粘度４０００〜８０００ポイズ、揺変性４．０〜１０．０である防蟻接着剤を前記構造部材に塗工してなり、前記防蟻剤含有シートを前記構造部材に接合する防蟻接着剤層とを備える。
【００１０】
〔建築物の床下空間〕
建築物としては、木造の一般住宅、集合住宅その他の建築物に適用できる。鉄骨造やコンクリート造であって構造部材の一部に木質材料を用いた建築物にも有用である。
【００１１】
床下空間は、建築物の居住空間を構成する天井や壁、床などの上部構造を支える土台や根太、床梁などと地盤との間に設けられ、居住空間と地盤との間に距離をとって、断熱性や通気性などを確保する機能を有する。通常、布基礎などの基礎構造で周囲を囲まれている。
【００１２】
布基礎は、鉄筋コンクリートなどで構築され、建築物の外周や間取り形状に従う壁枠状をなし、布基礎の根元部分は地盤に埋め込まれ、頂部で土台および建築物の全体を支持する。布基礎で仕切られた各区域毎に床下空間が構成される。布基礎の上部に配置される土台や根太などの床構造は木質材料が用いられることが多い。
【００１３】
布基礎で囲まれた床下空間には、床を支える束構造が設けられる。束構造は、床を支える束柱と、地盤と束柱との間に配置され、束柱を支持する束石とを備えることができる。通常、束柱は木質材料が多く用いられる。
【００１４】
〔構造部材〕
白蟻は通常、地盤から建築物の床下空間に侵入し、建築物の構造部材に含まれる木質部分を食害する。したがって、防蟻構造は、地盤から建築物の木質構造部分に至る経路の途中に配置される構造部材に設けられる。
【００１５】
建築物の木質部分の外面に防蟻構造を付け加えても、内部の木質部分に白蟻が侵入すると防蟻構造の効果が発揮できない。そのため、防蟻構造は、白蟻の食害を受け難いコンクリートや金属などからなる構造部材に設けておくのが好ましい。
【００１６】
具体的には、布基礎、束柱、束石などの建築物の基礎部材が挙げられる。地盤から建築物の上方に向かって延びる水道管、ガス配管、排水管などの配管その他の設備部材も挙げられる。浴槽や空調機、温水器などの住宅設備機器を設置する際に使用される中空コンクリートブロックなどの支持部材も挙げられる。
【００１７】
〔防蟻剤〕
通常の防蟻処理用の薬剤が使用できる。合成樹脂や接着剤に含有させ易い材料が好ましい。
【００１８】
防蟻剤の具体例として以下の材料が挙げられる。
有機リン系化合物：クロルピリホス（日本化薬社製）、ホキシム（バイエル社製）、プロペタンホス（日本化薬社製）、ピリダフェンチオン（三井化学社製）、テトラクロルビンホス（米国、ＦＭＣ社製）、フェニトロチオン（住友化学社製）、ジクロロフェンチオン（日本化薬社製）
カーバメイト系化合物：プロポクスル（三共社製）、バッサ（住友化学社製）、カルバリル（住友化学社製）
ピレスロイド系化合物：アレスリン（住友化学社製）、パーメスリン（住友化学社製）、サイバメスリ（住友化学社製）、フェンバレート（住友化学社製）、フタルスリン（住友化学社製）、レストメスリン（住友化学社製）、フェロトリン（ヘキスト社製）、トラロメスリン（住友化学社製）、ビフェントリン（米国、ＦＭＣ社製）
ピレスロイド様化合物：エトフェンプロックス（三井化学社製）
その他の化合物：ピレトリン（大日本除虫菊社製）、トリプロピルイソシアネート（大日本除虫菊社製）、シラフルオフェン（ヘキスト社製）、オクタクロロジプロピルエーテル（三共社製）
これらの防蟻剤を単独あるいは複数種組み合わせて使用することができる。
【００１９】
本発明で使用するのに好ましい防蟻剤として、パーメスリンやビフェントリンが挙げられる。
〔防蟻剤含有シート〕
基本的には、通常の防蟻シートと同様の材料および構造が採用できる。
【００２０】
合成樹脂としては、防蟻剤を含有したときに防蟻作用が良好に発揮でき、シート成形が可能な材料であればよい。
合成樹脂自体が、白蟻の通過や蟻道の形成を阻止する機能のあるものが好ましい。表面の摩擦係数が小さく滑り易い材料が好ましい。表面が滑り易い材料は、白蟻がはい登り難く、蟻道を作ることも困難になる。
【００２１】
合成樹脂の具体例として、ポリエチレン、酢酸ビニル、塩化ビニル、ポリプロピレン、ポリカーボネート、塩化ビニリデン、塩化ビフェニール、テフロン等が挙げられる。複数の合成樹脂を配合したり、ラミネート構造にすることも可能である。
【００２２】
防蟻剤含有シートは、上記のような合成樹脂材料に前記した防蟻剤とを配合し、通常のシート成形手段によって製造することができる。
防蟻剤含有シートに配合する防蟻剤の量は、合成樹脂およひ防蟻剤の種類や要求性能などによっても異なるが、通常は、防蟻剤含有シート全体の固形重量に対して０．００１〜５％の範囲に設定される。好ましくは、０．０１〜１％の範囲が採用される。防蟻剤の含有量が少なすぎると、十分な防蟻効果が達成できず、防蟻剤の含有量が多すぎると、防蟻剤含有シートの強度が劣るものとなる。
【００２３】
防蟻剤含有シートの厚みは、合成樹脂の種類や防蟻剤含有シートの使用形態などによっても異なるが、通常は５００μｍ以下のものが使用され、好ましくは、１００〜２００μｍ程度のものが用いられる。防蟻剤含有シートが厚くなりすぎると、柔軟性に劣るものとなり、布基礎などの表面に対して密着させて配置することが困難になる。防蟻剤含有シートが薄すぎると強度的に弱くなる。
【００２４】
〔防蟻接着剤層〕
防蟻剤含有シートを床下空間の構造部材に接合する機能を有していれば、各種の接着剤と同様の材料や組成を有するものが用いられる。
【００２５】
通常の接着剤には、狭義の接着による接合を果たすもののほかに、粘着による接合を果たすもの、さらには、接着と粘着との両方で接合を果たすものがある。本発明では接着および粘着の何れで接合を行うものであってもよい。構造部材がコンクリートなどからなる場合は、粘着接合を行う接着剤が好ましい。
【００２６】
接着剤の具体例としては、レゾルシノール樹脂、水性高分子イソシアネート、エポキシ樹脂、ウレタン樹脂、α−オレフィン無水マレイン酸、シリコーン樹脂、ポリサルファイド樹脂、アクリル樹脂、合成ゴム系、ブチルゴム系、シアノアクリレート系、ホットメルト系などの接着剤が挙げられる。
【００２７】
合成樹脂からなる防蟻剤含有シートを、布基礎などの構造部材に接着する場合、接着剤の粘度や揺変性が、接着作業性および防蟻効果に影響を与える。粘度や揺変性が適切でないと、接着剤を布基礎などに塗布したときに接着剤が流れ落ちたり均一に塗布できなかったりする。接着不良や接着ムラが発生する。防蟻剤が接着剤層に均一に分散されずに、防蟻効果が低下する。
【００２８】
このような問題を解決するため、接着剤の粘度としては４０００ポイズ以上が好ましく、４０００〜８０００ポイズがより望ましい。揺変性は、４．０〜１０．０、より好ましくは５．０〜７．０に設定される。
【００２９】
前記した防蟻剤を接着剤に配合しておくことで、防蟻接着剤が得られる。接着剤に配合する防蟻剤の量は、接着剤固形重量に対して０．００１〜５％の範囲に設定でき、好ましくは０．０１〜１％に設定される。防蟻剤の配合量が少なすぎると効果がなく、多すぎると接着力などの接着剤としての機能に悪影響を及ぼす。
【００３０】
〔防蟻剤含有シートの施工〕
防蟻剤含有シートは、床下空間に設置される構造部材の立ち上がり面を、垂直方向に１０cm以上の幅で覆う。
【００３１】
構造部材の立ち上がり面は、垂直面であったり、垂直に近い傾斜面であったりする。垂直に近い面のほうが、防蟻剤含有シートの上を白蟻が移動し難く、好ましい。
【００３２】
防蟻接着剤層は、予め防蟻剤含有シートの表面に塗工されていてもよいし、防蟻剤含有シートの施工時に、施工面に塗工したあと防蟻剤含有シートを貼り付けるようにしてもよい。
【００３３】
防蟻剤含有シートの表面に予め防蟻接着剤層を塗工しておく場合、輸送保管を行い易くするために、防蟻接着剤層の表面を剥離紙などで保護しておくことができる。
【００３４】
防蟻接着剤は、ハケ塗りやローラ塗り、スプレー塗りなどの通常の塗工手段で、構造部材の表面あるいは防蟻剤含有シートの表面に塗工することができる。
防蟻剤含有シートは、一定の面積を有するシート状のものを必要な大きさに裁断して施工することができる。防蟻剤含有シートとして、テープ状あるいはリール状に巻回されたものを用いれば、巻回物を巻き戻しながら施工していくことができる。防蟻剤含有シートをキャップ状などの立体形状に成形しておくことも可能である。
【００３５】
防蟻剤含有シートで構造部材を覆う高さ方向の幅は、１０cm以上であれば、白蟻がのり越えることが困難である。好ましくは、１０〜３０cmの範囲に設定できる。
【００３６】
防蟻剤含有シートは、防蟻接着剤層によって構造部材に接合されるが、釘やねじ、金具などを併用して接合することもできる。防蟻剤含有シートの端部や継ぎ目を粘着テープで塞いでおくこともできる。
【００３７】
〔布基礎への適用〕
構造部材が布基礎である場合、布基礎の側面に防蟻剤含有シートを配置しておくことができる。布基礎の側面は、屋内側の側面であっても屋外側の側面であってもよい。
【００３８】
布基礎に対して、片面の立ち上がり面から布基礎の頂面を経て反対面の立ち上がり面までを、防蟻剤含有シートで覆うことができる。布基礎の頂面から両側の立ち上がり面までを防蟻剤含有シートで覆っておけば、防蟻剤含有シートと布基礎との隙間を白蟻が登ってきても、布基礎の頂面の防蟻剤含有シートで上方への侵入を阻止することができる。
【００３９】
防蟻剤含有シートは、布基礎の上端から下端までに任意の個所に配置することができる。防蟻剤含有シートおよび防蟻接着剤層が、地盤の表面から十分に離れた位置に配置されていれば、防蟻剤の成分が地盤の水分に接触して溶けだすことが防げる。
【００４０】
防蟻剤含有シートあるいは防蟻接着剤層の一部が、地盤表面よりも下の布基礎に配置されていてもよい。この場合、地盤の内部で白蟻が布基礎の内部へと侵入することが阻止できる。
【００４１】
〔束構造への適用〕
構造部材が、束柱と束石とを含む束構造である場合、防蟻剤含有シートは、束石の表面に配置しておくのが好ましい。これは、束柱は木質材料である場合が多いので、天然石やコンクリートからなる束石のほうが防蟻効果が確実に達成できるからである。束柱をコンクリートや型鋼材などで構成する場合には、束柱の周囲を防蟻剤含有シートで覆っておくことも有効である。
【００４２】
束石は、比較的に偏平な直方体状あるいは円柱状などをなす。下端よりも上端が狭くなった錐体状をなすものや段差を有するものもある。
防蟻剤含有シートは、少なくとも束石の全周にわたって側面に配置されている必要がある。束石の頂面にも防蟻剤含有シートを配置しておけば、防蟻剤含有シートと束石の表面との隙間を通って上方へと白蟻が侵入するのを阻止することができる。束石に上下に貫通する空間があいている場合にも、束石の頂面全体を防蟻剤含有シートで覆っておけば、前記貫通空間を通って白蟻が上方に侵入することが阻止できる。
【００４３】
束石の全表面を防蟻剤含有シートで覆っておくこともできる。この場合、防蟻剤含有シートと束石との隙間に白蟻が入り込むこともできなくなる。
束石を防蟻剤含有シートで覆う作業は、束石の製造工場や加工工場で予め行っておいてもよいし、建築現場で施工された束石の表面に防蟻接着剤層および防蟻剤含有シートを配置することもできる。
【００４４】
〔揺動下端〕
防蟻剤含有シートと構造部材との隙間に白蟻が入り込むのを防止するには、防蟻剤含有シートの全面を防蟻接着剤層で構造部材に接合するのが好ましい。
【００４５】
しかし、防蟻剤含有シートの一部を構造部材に接合せずにおくこともできる。
構造部材の立ち上がり面に配置された防蟻剤含有シートのうち、下端縁の一部幅を構造部材に接合せず、揺動可能にしておくことができる。
【００４６】
白蟻は、揺れ動くような不安定な面には入り込むのを避け、蟻道を作ることも避ける習性があるので、揺動可能な下端縁すなわち揺動下端で白蟻の侵入を阻止できる。揺動下端の幅は、白蟻が乗り越え難い程度に設定しておく。具体的には１０〜３０cm程度に設定することができる。
【００４７】
揺動下端を設ける場合、防蟻剤含有シートは比較的に柔軟な材料を用いたり薄いものを用いたりして、変形容易にしておくのが好ましい。
〔支持ブロックへの適用〕
構造部材として、前記した住宅設備機器の設置用の支持ブロックを用いる場合、防蟻剤含有シートの配置構造や施工方法は、前記した束石の場合と共通する技術が適用できる。
【００４８】
支持ブロックの全表面を防蟻剤含有シートで覆っていてもよいし、支持ブロックの側面全周を所定幅の防蟻剤含有シートで覆っていてもよい。支持ブロックの頂面と側面を防蟻剤含有シートで覆うこともできる。
【００４９】
支持ブロックが、中空コンクリートブロックのように、施工状態で上下に貫通する空間を有するものの場合、貫通孔をモルタルなどで塞いでおいてもよいし、貫通孔の開口を防蟻剤含有シートで塞いでおくこともできる。
【００５０】
〔床下空間の地盤〕
床下空間の地盤には、防蟻シートを施工する必要はない。地盤表面に白蟻が存在していても、建築物の上部構造へと侵入することは、本発明の防蟻構造によって確実に阻止されるからである。
【００５１】
床下空間の地盤が防蟻シートで覆われていなければ、地盤と床下空間との間で湿気や水分の流通が行われ、床下空間が過剰に高湿になったり、逆に乾燥し過ぎたりすることがない。地盤表面が高湿になって黴や雑菌が繁殖することもなくなる。
【００５２】
なお、床下空間の地盤表面に、調湿シートを配置しておくことができる。調湿シートとして、吸湿性のある炭や珪藻土などの調湿材を、合成樹脂や不織布に配合したものが用いられる。このような調湿シートを敷設しておくことで、床下空間の湿度環境を良好な状態に維持することができる。また、前記のような調湿材を袋に収容してなる調湿袋を、床下空間の地盤表面に並べて配置しておくこともできる。
【００５３】
【発明の実施の形態】
〔床下構造〕
図１に示す実施形態は、一般的な住宅の床下構造に適用された防蟻構造を表している。
【００５４】
床下構造は、地盤１０に一部が埋め込まれて構築され建築物を支える枠壁状の布基礎１２や、布基礎１２の上に、土台１４を介して施工される壁１８や、大引きや根太などを介して施工される床面１６などの構造を有する。周囲が布基礎１２で囲まれ、底面が地盤１０、上面が床面１６で構成された空間が、床下空間Ｓである。床下空間Ｓには、布基礎１２とは別に、床面１６を支える束柱３４と束石３２とからなる束構造も設けられる。
【００５５】
〔布基礎の防蟻構造〕
このような建築物の床下構造において、布基礎１２には、防蟻剤含有シート２０を用いた防蟻構造が設けられる。
【００５６】
防蟻剤含有シート２０は、防蟻剤を含有するポリエチレン樹脂から成形されたものである。防蟻剤含有シート２０の片面には、防蟻剤を含有する接着剤からなる防蟻接着剤層２２が設けられている。
【００５７】
このような防蟻剤含有シート２０を、建築物の外周壁を構成する布基礎１２に対して、屋外側の立ち上がり面の上部から、布基礎１２の頂面を経て、屋内側の立ち上がり面の上部にかけて貼り付けている。防蟻接着剤層２２が、防蟻剤含有シート２０をコンクリートからなる布基礎１２に密着接合している。
【００５８】
防蟻剤含有シート２０は、図示した布基礎１２の全長にわたって配置されているとともに、建築物を構成している全ての布基礎１２に対しても同様の形態で防蟻剤含有シート２０が配置される。布基礎１２で区画された各床下空間Ｓでは、床下空間Ｓを囲む全周の布基礎１２について立ち上がり面の上部には、防蟻剤含有シート２０が配置されることになる。
【００５９】
防蟻剤含有シート２０の施工は、布基礎１２の施工が完了したあと、土台１４や床面１６の施工を行う前に行っておく。
布基礎１２の屋外側および屋内側の何れについても、布基礎１２を上端から覆う防蟻剤含有シート２０の高さ方向の幅Ｗは、白蟻が通過できない所定幅以上に設定されている。具体的には、屋外側における防蟻剤含有シート２０の幅Ｗは１０cm、屋内側における防蟻剤含有シート２０の幅Ｗは２０cmに設定されている。
【００６０】
上記実施形態では、白蟻が布基礎１２の立ち上がり面を登ってきたり布基礎１２の表面に蟻道を作っても、防蟻剤含有シート２０および防蟻接着剤層２２のところまでくると、防蟻剤の作用によって、それ以上は上方に登ったり蟻道を作ることができない。その結果、布基礎１２の上部に構築された建築構造部材が白蟻の食害を受けることが防止される。
【００６１】
なお、防蟻剤含有シート２０を構成するポリエチレン樹脂の表面は、白蟻が蟻道を作ることが困難であり、このような防蟻剤含有シート２０の幅Ｗが十分にあれば、白蟻が防蟻剤含有シート２０を超えて上部にまで蟻道を作ることは出来ない。
【００６２】
また、白蟻が防蟻剤含有シート２０と布基礎１２との隙間を通って上方に登ろうとしても、防蟻接着剤層２２が存在しているので、防蟻剤含有シート２０と布基礎１２との隙間に入り込むこともできない。
【００６３】
しかも、防蟻剤含有シート２０は、布基礎１２の頂面を覆っているので、白蟻が防蟻剤含有シート２０と布基礎１２との隙間に侵入できたとしても、防蟻剤含有シート２０よりも上方に到達することはできない。
【００６４】
〔束部分の防蟻構造〕
図１には、束部分にも防蟻構造が設けられている。
木質材料からなる束柱３４は、地盤１０の上に設置された直方体状の束石３２に支持されている。
【００６５】
束石３２の外周全面に、防蟻剤含有シート２０が防蟻接着剤層２２によって貼り付けられている。束石３２の高さすなわち防蟻剤含有シート２０の高さ方向の幅Ｗが、所定幅以上に設定されている。
【００６６】
このような防蟻剤含有シート２０で覆われた束石３２を用いることで、白蟻は地盤１０から束石３２を登って束柱３４まで到達することができない。束柱３４およびその上部にある床面１６などが白蟻の食害を受けることが防げる。
【００６７】
上記実施形態では、束石３２の全周を防蟻剤含有シート２０で覆うことで、防蟻効果を確実に果たせるようにしているが、束石３２の側面を所定幅Ｗだけ防蟻剤含有シート２０で覆うことでも防蟻機能は果たせる。また、束石３２の上面と側面を防蟻剤含有シート２０で覆うだけでもよい。
【００６８】
〔既設住宅の布基礎〕
図２に示す実施形態は、布基礎１２に対する防蟻構造であるが、前記実施形態とは構造が異なる。既に構築された住宅の布基礎に防蟻構造を施工するのに適した方法である。
【００６９】
防蟻接着剤層２２を有する防蟻剤含有シート２０が、布基礎１２の屋外側の立ち上がり面に対しては、高さ方向の途中部分だけに配置されている。布基礎１２の下部と上部とが露出している。この場合も、防蟻剤含有シート２０の高さ方向の幅Ｗが十分にあれば、白蟻が防蟻剤含有シート２０を超えて布基礎１２の上部側まで到達することはできない。
【００７０】
布基礎１２の屋内側の立ち上がり面を覆う防蟻剤含有シート２０は、その一部が地盤１０よりも低い位置に配置されている。白蟻が、地盤１０の下から布基礎１２の内部の隙間などを通って上方に移動することも阻止できる。この場合、地盤１０の表面から防蟻剤含有シート２０の上端までの幅Ｗを、白蟻の通過阻止に十分な幅に設定しておく。
【００７１】
前記図１の実施形態では、布基礎１２と土台１４との間に防蟻剤含有シート２０が配置されるため、既設の建築物には施工し難いが、図２の実施形態では、既設の住宅等にも施工容易である。
【００７２】
〔支持ブロックへの適用〕
図３に示す実施形態は、床下空間Ｓや土間などに各種の住宅設備を設置した場合の防蟻構造である。住宅設備とは、給湯機や空調機、浴槽、衛生機器などが挙げられる。
【００７３】
設置面３５は、地盤１０であってもよいし、地盤１０にモルタル等を施工した面であってもよい。
設置面３５の上に、中空コンクリートブロックからなる支持ブロック３６を２段に重ねて、その上に住宅設備３８を設置している。
【００７４】
支持ブロック３６の上部には、支持ブロック３６の頂面と上部側面の全周とを覆って、防蟻剤含有シート２０が配置されている。支持ブロック３６の上部側面を覆う防蟻剤含有シート２０の高さ方向の幅Ｗは、白蟻の通過阻止に必要な幅に設定されている。
【００７５】
中空コンクリートブロックからなる支持ブロック３６は、直方体状の外形を有するとともに、上下に貫通する長円形などの貫通孔３７を有する。白蟻は、この貫通孔３７の内面を伝って上方に登ってくる可能性がある。しかし、防蟻剤含有シート２０が、支持ブロック３６の頂面を覆っていれば、貫通孔３７を登ってきた白蟻も、頂面の防蟻剤含有シート２０で、それ以上の上昇を阻止される。
【００７６】
〔揺動下端の採用〕
図４に示す実施形態は、防蟻剤含有シート２０の一部が揺れ動くようになっている。
【００７７】
布基礎１２の立ち上がり面に防蟻剤含有シート２０が配置されている。防蟻剤含有シート２０の上端から途中までは、防蟻接着剤層２２で布基礎１２の表面に接合されているが、防蟻剤含有シート２０の下端縁に近い一定の幅部分では、防蟻接着剤層２２が設けられていない。したがって、防蟻剤含有シート２０の下端縁部分２０ａは、布基礎１２とは隔離された状態になっている。防蟻剤含有シート２０は変形容易であるから、防蟻剤含有シート２０の下端縁部分２０ａは、わずかな力が加わっても容易に揺れ動く揺動下端２０ａとなっている。
【００７８】
このような揺動下端２０ａを備えていると、布基礎１２の立ち上がり面を上昇してきた白蟻は、揺動下端２０ａを超えて防蟻剤含有シート２０の上にはい登ることが困難である。白蟻の習性として、不安定に動き易い個所を通過することは避ける。また、布基礎１２の表面から、不安定に動く揺動下端２０ａを経て、防蟻剤含有シート２０の表面までに蟻道を作ることもできない。布基礎１２の表面に沿って上昇した白蟻は、揺動下端２０ａの裏面を上から下に移動しないと防蟻剤含有シート２０の表面側には出られず、白蟻がこのような上下逆方向の移動を行うことはない。
【００７９】
〔防蟻性能の評価〕
具体的に、防蟻剤含有シートおよび防蟻接着剤を製造し、防蟻施工を行って、その性能を評価した。
【００８０】
＜防蟻剤含有シート＞
ポリエチレンペレットに、防蟻剤であるペルメトリンを配合して、マスターバッチとなる防蟻ペレットを製造した。
【００８１】
防蟻ペレットに、ポリエチレンペレットおよび所定の添加剤を加えて、成形原料となし、通常のシート成形によって、厚さ２００μｍの防蟻剤含有シートを製造した。
【００８２】
防蟻ペレットに配合する防蟻剤の添加量を調整することで、最終的に製造される防蟻剤含有シートに含まれる防蟻剤の量を違えた。
＜防蟻接着剤＞
粘度６０００ポイズ（ＢＳ型粘度計、ローターNo.7で測定）、揺変性６．０（２０℃）、比重１．２３のアクリルエマルジョンに、ペルメトリンを０．０５％（接着剤の固形重量に対して）添加して、アクリルエマルジョン系水溶性接着剤からなる防蟻接着剤を製造した。
【００８３】
＜性能評価試験＞
防蟻剤含有量の異なる複数の防蟻剤含有シートに対して、防蟻性能を評価する試験を行った。
【００８４】
試験方法：（社）日本木材保存協会規格第１７号「防蟻剤処理非木質系製品の室内防蟻効力試験法及び性能基準」に準じた。
具体的には、コンクリート製試験支持体に、防蟻接着剤を塗布量２００g/m2の割合で用いて、前記防蟻剤含有シートからなる試験品を貼り付けて、試験体を作製した。
【００８５】
試験体に対して、所定の試験条件で、イエシロアリの這い上がり防止性能試験を行った。試験結果を下表に示す。評価性能のうち、這い上がり高さは、試験体の下端から白蟻が這い上がった高さを示し、這い上がり高さが全面となっている場合は、試験体の上端まで白蟻が這い上がったことを意味する。木材重量減少率は、白蟻の食害によって木材の重量が減少した割合を示す。
【００８６】
なお、比較例は、防蟻剤含有シートを貼り付けないコンクリート製試験支持体のままで試験を行った場合である。
＜試験結果＞
【００８７】
【表１】
0003779850.tif 000002
上記試験の結果、防蟻剤含有シートを用いた各実施例では、長期間にわたって確実な防蟻機能を発揮できることが実証された。防蟻剤含有シートを用いていない比較例では、短期間で白蟻の這い上がりが生じ、木材に対する食害が発生している。
【００８８】
〔蟻道構築試験〕
各種の合成樹脂シートを構造部材の立ち上がり面に配置したときに、どの程度の幅があれば、白蟻が蟻道を構築するのが困難になるのかを評価した。
【００８９】
具体的には、合成樹脂シートを垂直状態でセメント構造体に貼り付けた。セメント構造体の上部に木材等の餌を置き、セメント構造体の下端に白蟻が接近できるようにした。なお、合成樹脂シートには防蟻剤は含有させず、接着剤にも防蟻剤は配合していない。
【００９０】
【表２】
0003779850.tif 000003
上記試験の結果、セメント構造だけでは、白蟻は直ぐに蟻道を構築して、経時的に益々高い位置まで蟻道を構築していく。しかし、特定の合成樹脂からなる表面の場合、白蟻は接触行動を起こして蟻道を構築しようとするが、一定の高さ以上には蟻道を構築できないことが判る。
【００９１】
その理由は詳細には不明であるが、滑り易い合成樹脂の表面では、白蟻が蟻道を構築しようとしても、白蟻が滑ってしまうことや、土を練り固めて構築される蟻道は、合成樹脂の表面では水分が吸収されないために固定されないことなどが推測できる。
【００９２】
なお、合成樹脂シートに防蟻剤が含有されていない場合には、白蟻の侵入阻止は完全ではない。これは、蟻道の構築は困難でも、白蟻の通過は可能な場合がある。また、合成樹脂シートの表面が経時的に汚れたりして滑り難くなると、白蟻の通過および蟻道の構築を阻止できない場合がある。したがって、前記した防蟻剤含有シートが有効となる。
【００９３】
また、上記試験の結果から、防蟻剤含有シートの高さ方向の幅Ｗを１０cm以上に設定しておけば、より確実に蟻道の構築および白蟻の侵入を防げることが実証された。
【００９４】
【発明の効果】
本発明の床下防蟻構造は、床下空間に設置される構造部材の立ち上がり面を、所定幅の防蟻剤含有シートで覆い、防蟻接着剤層で接合しているので、立ち上がり面に沿って白蟻が侵入してくるのを効果的に阻止することができる。
【００９５】
立ち上がり面に設けられた防蟻剤含有シートや防蟻接着剤層は、地盤の土壌汚染を引き起こすこともない。防蟻剤成分が土壌に溶けだして効果が少なくなることもない。地盤全体に防蟻剤を散布したり、地盤全体を防蟻シートで覆ったりするのに比べて、防蟻剤の使用量も少なくて済むので、環境汚染の可能性も格段に少なくなる。
【図面の簡単な説明】
【図１】  本発明の実施形態を表す床下防蟻構造の断面図
【図２】  別の実施形態を表す床下防蟻構造の断面図
【図３】  別の実施形態を表す床下防蟻構造の断面図
【図４】  別の実施形態を表す床下防蟻構造の断面図
【符号の説明】
１０  地盤
１２  布基礎
２０  防蟻剤含有シート
２２  防蟻接着剤層
３２  束石
３４  束柱
３６  ブロック
【図１】
0003779850.tif 000004
【図２】
0003779850.tif 000005
【図３】
0003779850.tif 000006
【図４】
0003779850.tif 000007